(57)【特許請求の範囲】
【請求項１】
軒側先端部(1)の下面に、隣接して積層される瓦の表面に当接して表面の損傷を阻止する当接部(2)を設けている瓦であって、
当接部(2)の表面に平滑シート(3)を接着しており、この平滑シート(3)は、クッション層(4)に剥離シート(5)を積層して接着したもので、剥離シート(5)は表面の平滑面(6)を平滑シート(3)の表面側としてクッション層(4)に積層しており、剥離シート(5)の平滑面(6)を表面側として平滑シート(3)を当接部(2)に接着しており、
平滑シート(3)の平滑面(6)が隣接して積層される瓦の表面に当接して、損傷を防止するようにしてなる瓦。
【請求項２】
紙の表面をシリコンコートして平滑面(6)とする剥離シート(5)をクッション層(4)に積層している請求項１に記載される瓦。
【請求項３】
クッション層(4)が不織布である請求項１に記載される瓦。
【請求項４】
瓦の上面の軒先側端縁部分に、端縁に向かって下り勾配に傾斜する傾斜面(7)を設けており、瓦を積層する状態において、当接部(2)の平滑シート(3)が傾斜面(7)に当接するように当接部(2)を設けている請求項１に記載される瓦。
【請求項５】
軒側先端部(1)の下面の複数ヶ所に当接部(2)を設けている請求項１に記載される瓦。
【請求項６】
軒側先端部(1)の下面に凸条(8)を設けており、この凸条(8)の下面と内面とに平滑シート(3)を接着している請求項１に記載される瓦。
【請求項７】
表面に塗膜を設けている請求項１に記載される瓦。
【請求項８】
瓦が厚型スレート瓦である請求項１に記載される瓦。
【発明の詳細な説明】
【０００１】
【発明の属する技術分野】
本発明は、積層しても表面が損傷されない瓦に関する。
【０００２】
【従来の技術】
瓦は、モルタルを成形して製造されるスレート瓦と、焼成して製造される焼き瓦とがある。これ等の瓦の主成分は、極めて硬い酸化珪素やアルミナである。しかも、成形された瓦は、表面が完全な平滑面とならず、凹凸ができる。さらに、瓦は、表面を綺麗にするために、ほとんど例外なく、表面を塗料でコートして美しく表面処理される。この構造の瓦は、製造後に複数枚を積層する状態に結束して、施工現場に運搬される。
【０００３】
この状態で施工現場に運搬される瓦は、運搬するときに表面に傷が付くことがある。とくに表面に塗膜を設けている瓦は、塗膜が損傷したり表面状態が変化して、屋根に葺いた状態で擦り部分が目だつ欠点がある。表面に傷の付いた瓦は、表面塗料が局部的に剥離し、あるいは表面塗料が変色し、あるいはまた塗料表面の微細な凹凸が平滑面に変化する等して不良品となる。
【０００４】
さらに、瓦は、積み重ねして運搬するときのみでなく、職人が屋根に葺くときも、表面塗料に損傷を与えることがある。屋根に葺くときに、瓦をラップさせて、ラップ部分を摺動させて、瓦の位置を調整することがあるからである。摺動される瓦は、上下面が局部的に接触して摺動し、弱い表面塗料が損傷を受ける。
【０００５】
表面塗料に傷の付いた瓦は、施工現場に運搬し、あるいは、現場で屋根に運び上げ、さらに、屋根に葺いた状態で、傷の付いた部分が瓦としての品質を低下させる。この状態で損傷を受けた瓦は、新しい瓦に交換する必要があり、使用できる瓦の歩留を低下させる。さらに、困ったことに、表面塗料に損傷を受けた瓦は、屋根に葺いた直後には損傷が目だたなくても、月日が経過すると、次第に目だつようになることもある。この状態で、損傷のある瓦は、交換するのが極めて難しい。瓦は、ラップ部分を釘で屋根に固定しているからである。
【０００６】
このような欠点を解決する瓦は開発されている（特許文献１〜６参照）。
【０００７】
【特許文献１】
特開平１０−２３１５８７号公報
【特許文献２】
特開平１１−１８１９６２号公報
【特許文献３】
特開平４−３５０２４１号公報
【特許文献４】
特開平１１−１５９０６０号公報
【特許文献５】
特開２００２−２２７３４４号公報
【特許文献６】
特開２００２−３２２７６２号公報
【０００８】
特許文献１に記載される瓦は、積み重ねしたときに、下方に重ねられる瓦の表面に接触して、積み重ねされる瓦の接触面の損傷を防止する紫外線硬化樹脂からなる緩衝凸部を下面に設けている。
【０００９】
特許文献２の瓦は、軒側端部の裏側面に緩衝部材を貼着している。更に、瓦本体の軒側先端が下方に屈曲して突出する前垂れ部を形成してなる場合、裏側面に相当する前垂れ部の底面の瓦本体の左右方向に沿った複数箇所に、下方に突出した突起部を設け、この突起部の突起部底面が平坦で、その突起部底面に緩衝部材を貼着している。緩衝部材は、ゴム材、布材、紙材、若しくは、プラスチック材、または、これらの混合体である。
【００１０】
特許文献３の瓦は、下面に複数の突起を設け、この突起を発泡樹脂で被覆している。
【００１１】
特許文献４の瓦は、複数枚を上下方向に積み重ねる場合に、下方の瓦の表面に当接し、各瓦の瓦本体を一定間隔にかつ瓦本体の端縁が載置面に対してほぼ鉛直面上に並ぶように上方の瓦を支える突起が瓦本体の裏面の端縁間の中途部に突設している。突起は粘着テープにより被覆されている。
【００１２】
特許文献５の瓦は、複数枚の瓦を瓦本体の端縁が瓦の表面に対してほぼ鉛直面上に並ぶように上下方向に積み重ねる場合に、上下の瓦の表面に当接し、各瓦本体を一定間隔に支える突起（スタック突起）が瓦本体の裏面に突設されている。このスタック突起の少なくとも先端部表面は、熱硬化性合成樹脂発泡体（発泡ポリウレタン層）により形成されている。
【００１３】
特許文献６の瓦は、複数枚を積み重ねたときに、下方の瓦の表面に接触する部分に、弾性部材を貼付又は埋設している。
【００１４】
【発明が解決しようとする課題】
本発明者は、前記の公報に記載される瓦を試作し、これを積層して表面が損傷する状態を観察した。しかしながら、これ等の公報に記載される構造では、瓦の表面を理想的な状態で保護できない。これ等の公報に記載される技術を利用しても瓦表面の損傷を阻止するのが極めて難しいのは、損傷を防止する弾性体等の緩衝部を、硬くしても、また反対に柔らかくても表面の損傷を有効に防止できないからである。緩衝部を柔軟で変形しやすくすると、瓦表面の損傷を有効に防止できるように考えられる。このことを実現するために、種々の瓦が前述の公報に記載される。しかしながら、現実には発泡樹脂やゴム等で柔軟な緩衝部を設けた瓦を試作して実験すると、柔軟に弾性変形する緩衝部は完全に押し潰される状態で塗膜の表面を擦り、塗膜の微細な凹凸をなくして平滑面とする。凹凸面から平滑面となった塗膜は、凹凸のある部分に比較してよく光るようになり、屋根に葺いた状態で極めて目だつ欠点がある。この欠点を防止するために、緩衝部を硬質のプラスチック等で製作して硬くすると、塗膜を局部的に強く押して塗膜を損傷し、あるいは塗膜に部分的に凹部ができる。この瓦が屋根に葺かれると極めてよく目だつ欠点がある。
【００１５】
本発明は、膨大な実験を繰り返した結果、単にクッション性を持たせるのではなく、クッション性を備えることに加えて、その表面を極めて滑りやすい状態にすることにより、従来の瓦の欠点を解決することに成功した。したがって、本発明の重要な目的は、極めて簡単な構成で、積層した表面の損傷や塗膜の変質を極めて有効に防止できる瓦を提供することにある。
【００１６】
【課題を解決するための手段】
本発明の瓦は、軒側先端部１の下面に、隣接して積層される瓦の表面に当接して表面の損傷を阻止する当接部２を設けている。当接部２は、表面に平滑シート３を接着している。この平滑シート３は、クッション層４に剥離シート５を積層して接着したものである。剥離シート５は、表面の平滑面６を平滑シート３の表面側としてクッション層４に積層している。平滑シート３は、剥離シート５の平滑面６を表面側として当接部２に接着している。この瓦は、平滑シート３の平滑面６が、隣接して積層される瓦の表面に当接して損傷を防止する。
【００１７】
本発明の瓦は、紙の表面をシリコンコートして平滑面６とする剥離シート５をクッション層４に積層することができる。クッション層４は、不織布とすることができる。さらに、本発明の瓦は、上面の軒先側端縁部分に、端縁に向かって下り勾配に傾斜する傾斜面７を設けると共に、瓦を積層する状態において、当接部２の平滑シート３が傾斜面７に当接するように当接部２を設けることができる。さらに、本発明の瓦は、軒側先端部１の下面の複数ヶ所に当接部２を設けることができる。さらに、本発明の瓦は、軒側先端部１の下面に凸条８を設けて、この凸条８の下面と内面とに平滑シート３を接着することができる。さらに、本発明の瓦は、表面に塗膜を設けることができる。さらにまた、本発明の瓦は、厚型スレート瓦とすることがでる。
【００１８】
【発明の実施の形態】
以下、本発明の実施例を図面に基づいて説明する。ただし、以下に示す実施例は、本発明の技術思想を具体化するための瓦を例示するものであって、本発明は瓦を下記のものに特定しない。
【００１９】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００２０】
図１ないし図３に示す瓦は、軒側先端部１の下面に、隣接して積層される瓦の表面に当接して表面の損傷を阻止する当接部２を設けている厚型スレートである。厚型スレートは、コンクリートをプレス成形して製作される瓦で、表面に塗料を塗布して塗膜を形成している。塗膜の厚さは、好ましくは約１００μｍである。ただ、塗膜は、３０〜２００μｍとすることもできる。ただし、本発明は、瓦を厚型スレートに特定せず、表面を着色している焼き瓦も含むものとする。表面を塗膜でカバーする厚型スレート瓦や、着色している焼き瓦は、積層する状態で隣りの瓦が当接する部分で損傷されやすい。
【００２１】
瓦は、図２の側面図に示すように、複数枚を積層する状態で、互いに接触する部分に当接部２を設けている。図２の瓦は、軒側先端部１の下面に当接部２を設けている。当接部２は、瓦を積層する状態で、隣の瓦、図２においては下の瓦の軒側先端部１の上面である瓦表面に当接する。当接部２は、接触する瓦の表面を損傷しないように、その表面に平滑シート３を接着している。
【００２２】
図１の斜視図に示す瓦は、上面の軒先側端縁部分に傾斜面７を設けている。傾斜面７は、瓦の軒側先端部１の端縁に向かって下り勾配に傾斜している。傾斜面７は、上に積層する瓦の下面が当接する。したがって、図の瓦は、軒側先端部１の下面であって、下の瓦の傾斜面７に当接する位置に当接部２を設けて、この当接部２に、平滑シート３を接着している。この瓦は、当接部２の平滑シート３が傾斜面７に当接するように、軒側先端部１の下面に当接部２を設けている。積層して傾斜面７に接触する当接部２は滑りやすい。このため、軒側先端部１に傾斜面７を設けている瓦は、傾斜面７が損傷されやすい。
【００２３】
本発明の瓦は、軒側先端部１の損傷を防止するために、当接部２の表面に平滑シート３を接着している。瓦は、軒側先端部１の下面の複数ヶ所に当接部２を設けて、各々の当接部２に平滑シート３を接着している。図１の瓦は、軒側先端部１の下面の２ヶ所に当接部２を設けて平滑シート３を接着している。複数の平滑シート３を軒側先端部１の下面に設ける瓦は、平滑シート３を当接させる状態で、安定して積層して損傷を防止できる。ただし、瓦は、軒側先端部の下面に連続して所定の長さのテープ状である細長いひとつの平滑シートを接着することもできる。
【００２４】
図１ないし図３の瓦は、軒側先端部１の先端縁に沿って、下面に突出する凸条８を設けている。凸条８は下面を平面状とし、当接部２の幅を広くしている。凸条８は、当接部２において内側に突出する形状として、当接部２の幅を広くしている。
【００２５】
当接部２には平滑シート３を接着している。平滑シート３は、図３の拡大断面図に示すように、クッション層４に剥離シート５を積層して接着している。クッション層４は不織布である。不織布のクッション層４は、薄くして瓦表面の損傷を有効に防止できる。ただし、本発明の瓦は、クッション層を不織布に特定せず、たとえば合成樹脂発泡体やゴム状弾性体とすることもできる。クッション層４の厚さは、約３００μｍである。ただし、クッション層４の厚さは、１００μｍ〜１ｍｍとすることもできる。厚型スレート瓦にあっては、クッション層４の厚さを、表面の塗膜にほぼ等しく、あるいは塗膜よりも厚くして、塗膜の損傷を有効に防止できる。
【００２６】
剥離シート５は、表面に平滑面６を設けている。この剥離シート５は、紙の表面をシリコンコートして平滑面６とする剥離紙が適している。剥離紙は表面を極めて滑りやすい平滑面６とし、しかも安価でクッション層４と共に自由に変形するからである。ただし、剥離シートには、剥離紙のみでなく、表面を平滑面とするプラスチックシート、たとえば、フッ素樹脂を可撓性があってクッション層４と共に変形できるシート状に成形したものも使用できる。剥離シート５は、平滑シート３の表面側が平滑面６となるようにクッション層４に積層して接着される。この平滑シート３は、剥離シート５の平滑面６が表面側となるように、瓦の当接部２に接着されている。平滑シート３は、粘着層を介して当接部２に接着され、あるいは接着材を介して当接部２に接着される。
【００２７】
平滑シート３は、隣接して積層される瓦の表面に平滑面６を当接させて、瓦の当接部２が接触する部分の損傷を防止する。
【００２８】
図１と図２に示す瓦は、互いに積層される状態で、軒側先端部１とその反対側の棟側先端部９とが当接する。棟側先端部９は、屋根に葺かれる状態で、上段に葺かれる瓦がラップされる。このため、棟側先端部９の表面に傷が付いても、これが屋根の表面に表出しない。したがって、図１と図２に示す瓦は、軒側先端部１の損傷のみを防止するために、軒側先端部１の当接部２に平滑シート３を積層して接着している。ただし、図示しないが、互いに積層する状態で、軒側先端部以外の部分であって、屋根に葺く状態で外部に表出する部分に当接部があれば、この当接部にも平滑シートを接着して損傷を防止する。
【００２９】
【発明の効果】
本発明の瓦は、積層する状態で表面の損傷や塗膜の変質を極めて有効に防止できる特長がある。それは、本発明の瓦が、積層する状態で当接する当接部に平滑シートを接着すると共に、この平滑シートを、クッション層に剥離シートを積層した構造とし、さらに、剥離シートは平滑面を平滑シートの表面側としてクッション層に積層して、剥離シートの平滑面が表面側となるように平滑シートを瓦の当接部に接着しているからである。本発明の瓦は、当接部に、単に弾性変形する合成樹脂発泡体等の柔軟な緩衝層を設けるのではない。本発明の瓦は、表面が平滑面となるように剥離シートをクッション層に接着し、剥離シートの平滑面が表面側となるように接着したものである。表面を平滑面とする剥離シートは、平滑面を粘着層に接着して、使用するときには粘着層から剥離して廃棄されるものである。剥離シートは通常の使用状態では、平滑面を粘着層に接着するので、接着する状態では表面側を平滑面とはしない。本発明は、この剥離シートを表裏反対にしてクッション層に接着して、接着する状態で平滑面を表面側とする。表面側を平滑面とする剥離シートは、積層される瓦の表面に接触して、極めて滑りやすい状態となる。剥離シートは、極めて付着性に富む粘着層からも簡単に剥離できるように、表面を極めて滑りやすい平滑面に加工している。このため、瓦を積層して平滑面が瓦の表面に押圧されると、平滑面は瓦の表面に対して極めて滑りやすい状態となる。平滑面は無理に瓦の表面を擦ることがなく、極めてスムーズに滑って損傷を与えることがない。積層される瓦は、常に静置されるわけでは決してない。たとえば積層して運搬するとき、接触部分が互いに摺動する。本発明の瓦は、極めて滑りやすい剥離シートの平滑面が表面となるように当接部に接着しているので、当接する瓦が極めてスムーズに無理なく摺動して、表面の損傷を極減できる。
従来の瓦のように、弾性変形する合成樹脂発泡体やゴム等の緩衝材を瓦の表面に接触させると、摩擦抵抗が極めて大きいので、互いに摺動するときには緩衝材の表面が極めて強い力で瓦の表面を擦り、これが原因で瓦の表面が損傷を受ける。  本発明の瓦は、クッション層に剥離シートを積層する平滑シートを接着し、剥離シートの平滑面で表面を滑りやすくしている。この構造は、クッション層を介して平滑面が瓦表面に押圧されて、平滑面は局部的に瓦の表面に強く押圧することなく、しかも滑りやすい状態として、瓦表面の損傷、とくに瓦が互いに擦れあう状態での損傷を有効に防止できる。
【００３０】
本発明の請求項２の瓦は、紙の表面をシリコンコートして平滑面とする剥離シートをクッション層に積層しているので、平滑面が極めて滑りやすく、瓦表面の損傷を極めて有効に防止できる。本発明の請求項３の瓦は、クッション層を不織布とするので、平滑シートを薄くしながら、瓦表面の損傷を有効に防止できる。
【００３１】
また、本発明の請求項４の瓦は、瓦の上面の軒先側端縁部分に、端縁に向かって下り勾配に傾斜する傾斜面を設けており、瓦を積層する状態において、当接部の平滑シートが傾斜面に当接するように当接部を設けている。この構造の瓦は、当接部が傾斜面に当接するので、積層する状態で摺動しやすいが、摺動面を平滑面とするので、無理なくスムーズに摺動して、傾斜面表面の損傷を極減できる。
【００３２】
さらに、本発明の請求項５の瓦は、軒側先端部の下面の複数ヶ所に当接部を設けているので、瓦を安定して積層できる。さらにまた、本発明の請求項６の瓦は、軒側先端部の下面に凸条を設けて、この凸条の下面と内面とに平滑シートを接着しているので、積層する瓦の表面に平滑シートを確実に当接して、瓦表面の損傷を有効に防止できる。
【図面の簡単な説明】
【図１】本発明の一実施例にかかる瓦の底面斜視図
【図２】図１に示す瓦を積層した状態を示す側面図
【図３】図１に示す瓦の軒側先端部の下部の拡大断面図
【符号の説明】
１…軒側先端部
２…当接部
３…平滑シート
４…クッション層
５…剥離シート
６…平滑面
７…傾斜面
８…凸条
９…棟側先端部
【図１】
0003710458.tif 000002
【図２】
0003710458.tif 000003
【図３】
0003710458.tif 000004